(57)【要約】【課題】従来提供されている衣服用開閉式ハンガーにおいては、ハンガー部分の折りたたみ方が不十分であり、開閉操作位置に難点があり、開閉操作方法も難しい。旅行時の携帯に便利で、サイズを縮小でき、開閉操作位置がハンガー部より上に設置され、丸首のシャツやセーターに対しても襟ぐりから挿入できる衣服用開閉式ハンガーを提供しようとするものである。【解決手段】本発明の衣服用開閉式ハンガーは、衣服用開閉式ハンガーの部品構成を表す分解図である。グリップ１、４、ハンガー部７、８、ロック作動部５、固定軸１８の６個の部品より構成され、グリップ１、４を合わせてロック作動部５でグリップ１、４を固定するとハンガー部７、８を開いた状態にし、固定軸１８で完全にハンガー部７、８の撓みを無くする。ロック作動部５を解除するとハンガー部７、８は自動的に閉じる。【選択図】    図６
2004230112.tif 000002
【特許請求の範囲】
【請求項１】
フック（２）及びハンガー保持部（３）を有するグリップ（１）と、ロック作動部（５）及びハンガー保持部（６）を有するグリップ（４）と、ハンガー部（７）及び（８）より構成される衣服用ハンガーであって、
グリップ（１）の軸芯（９）をグリップ（４）の穴（１０）に回転自在に嵌合し、ハンガー部（７）の上端の軸芯（１３）をハンガー部（８）の上端の穴（１４）へ回転自在に嵌合して一体化し、
ハンガー部（７）上部の軸芯（１５）をハンガー保持部（３）先端の穴（１１）へ回転自在に嵌合し、
ハンガー部（８）上部の軸芯（１６）をハンガー保持部（６）先端の穴（１２）へ回転自在に嵌合し、
バネ機構を有するロック作動部（５）の先端をグリップ（１）に設けたロック受け（１７）へ掛けてグリップ（１）とグリップ（４）を一体化すると共にハンガー部（７）、（８）を開き、
ロック作動部（５）の先端をロック受け（１７）より外すことでハンガー部（７）、（８）を閉じることを特徴とする衣服用開閉式ハンガー。
【請求項２】
ハンガー部（８）の穴（１４）に外側から固定軸（１８）の軸芯（１９）を回転自在に嵌合し、固定軸（１８）の先端をグリップ（１）及びグリップ（４）が形成する内側の空洞部分に挿入し、ハンガー部（７）、（８）を折りたたんだとき固定軸（１８）の先端は空洞部分の上方に達し、ハンガー部（７）、（８）を広げたときに固定軸（１８）の先端はグリップ（１）及び（４）内、に設けられた固定軸ストッパー（２３）、（２４）に阻止される構造であることを特徴とする請求項１に記載の衣服用開閉式ハンガー。
【発明の詳細な説明】
【０００１】
【発明の属する技術分野】
本発明は衣服用ハンガーに関する。
【０００２】
【従来の技術】
衣服用ハンガーとしては、合成樹脂、木、金属等の材質で、アームを伸ばした状態のハンガー部分と上部のフック部分を一体に形成した製品が一般に提供されている。また、ハンガー部が二つに折りたたまれた状態の衣服用ハンガーを手で開いて固定して使用する折りたたみ式ハンガーも提供されている。
【０００３】
前開きや首の部分が広く開き、衣服用ハンガーを通しやすい場合は、従来のハンガーでも使用上の問題は生じない。しかし、首の部分が開放されない丸首のシャツ、トレーナー、セーター、ブラウス等は襟ぐりからハンガーを通すと型崩れするため、裾からハンガーを入れ襟ぐりから上方へフックを取り出している。このように裾からハンガーを通す作業は面倒であり、フックを引っ掛けて生地を傷めることもある。
【０００４】
そこで襟ぐりにハンガーを通す際に折りたたんで、衣服の内部に入れてからハンガー部分を広げる方法が考えられている。しかし、従来提供されているハンガーはハンガー部分のロック部分がハンガー部分の位置にあるためハンガー部分の開閉操作が難しい。また、歯車を使用した開閉式ハンガーは機構が複雑になり、コストも高くなる。
【０００５】
【発明の解決しようとする課題】
従来提供されている衣服用開閉式ハンガーにおいては、ハンガー部分の折りたたみ方が不十分であり、開閉操作位置に難点があり、開閉操作方法も難しい。更に弱い生地に使用するには、生地をハンガーに挟み込んだり、引っ掛けたりする恐れがあり、普遍的に使用するのに適していない。そこで、本発明においては、旅行時の携帯にも便利なようにハンガー部分を完全に折りたたむことができるのでサイズを縮小でき、開閉操作位置がハンガー部より上に設置され、丸首のシャツやセーターに対しても襟ぐりから挿入でき、保管時は折りたたんだ状態に維持できるのでスペースも取らず、運送も容易な衣服用開閉式ハンガーを提供しようとするものである。
【０００６】
【課題を解決するための手段】
本発明の衣服用開閉式ハンガーは、ハンガー部７、８を中央から折りたたんで閉じた状態に保持されていて、フック２をバーに掛けたとき、ハンガー部７、８の両先端はフック２の真下になる。ハンガー部が横に広がっていないので、スペースを取らず、ハンガーに吊り下げている他の衣服の邪魔をしない。
【０００７】
本発明の衣服用開閉式ハンガーは、グリップ１の軸芯９とグリップ４の穴１０を嵌合しているのでグリップ１とグリップ４は回転自在に連結していて、グリップ４のロック作動部５の先端をグリップ１のロック受け１７へ掛けるとグリップ１と４は一体化し、ハンガー部７、８を広げた状態にすることができる方式である。グリップ１の上部はフック２になっていて、ロック受け１７はフック２の下になる。
【０００８】
ハンガー部７、８を開閉させるために、ハンガー部７の上端に軸芯１３を設け、ハンガー部８の上端を二つ割にして穴１４を穿った中に入れて軸芯１３を両側の穴１４へ回転自在に嵌合している。ハンガー部７、８をグリップ１、４と回転自在に連結するために、ハンガー部７、８に上端より少し下がった位置に軸芯１５、１６をそれぞれ設けてグリップ１、４の下部のハンガー保持部３、６の先端の二つ割した穴１１、１２へそれぞれ回転自在に嵌合している。
【０００９】
ハンガー部７、８が開いた状態ではロック作動部５の先端はロック受け１７へ掛かっているが、ロック作動部５を押して先端を浮かせると、衣服が掛かったハンガー部７、８は自重で下がり、グリップ１、４の上端が開き、ハンガー部７、８は閉じた状態になる。このため、ロック作動部５に設けたバネ機構以外に開閉のためのバネを必要としなくなるため組み立ての手間を省き、部品点数の減少となる。
【００１０】
ハンガー部７、８は開閉式にするため三ヶ所連結部分で回転自在に作動するように組み立てられているため、重量のある衣服やコート類に使用するとハンガー部７、８が下がり適当でない状態が生じやすい。そこで、請求項２に記載のように、ハンガー部８の穴１４に外側から固定軸１８の軸芯１９を跨がせて回転自在に嵌合している。固定軸１８の先端はグリップ１及びグリップ４が形成する内側の空洞部分に挿入されている。このため、固定軸１８は空洞部分内を自由に上下動する。
【００１１】
ハンガー部７、８を折りたたむとハンガー部７、８の上端は上方へ移動する。固定軸１８の根元はハンガー部８の穴１４と連結しているため、固定軸１８の先端は空洞部分の上方に達し、グリップ１と４の上部が開いていてグリップ１と４の連結部分の内側空洞部分を通過するので、固定軸１８の動きを妨げるものはない。しかし、グリップ１、４を閉じてハンガー部７、８を広げるとグリップ１、４内の固定軸ストッパー２３、２４に固定軸１８の先端が当たり、固定軸ストッパー２３、２４より上方へ動くことができなくなる。このため、重量物の衣服に対してもハンガー部７、８が垂れ下がることがなくなる。
【００１２】
【発明の実施の形態】
本発明の実施の形態を実施例にもとづき図面を参照して説明する。
図１は請求項１及び２に記載の衣服用開閉式ハンガーの部品構成を表す分解図である。グリップ１、４、ハンガー部７、８、ロック作動部５、固定軸１８の６個の部品より構成されている。
【００１３】
グリップ１はフック２、ロック受け１７、軸芯９、固定軸ストッパー２１、ハンガー保持部３、穴１１より構成されている。
【００１４】
グリップ４は穴２２、ストッパー２５、ロック作動部ストッパー２５、固定軸ストッパー２４、穴１０、ハンガー保持部６、穴１２より構成されている。
【００１５】
ロック作動部５の軸芯２１をグリップ４の穴２５へ嵌合するとロック作動部５の下部のバネ機構がグリップ４の上部に当たり、ロック作動部５の先端を持ち上げる。グリップ４にロック作動部ストッパー２５を設けているのでロック作動部５の先端はロック作動部ストッパー２５より下がるのを阻止される。
【００１６】
ハンガー部７の上端に軸芯１３、上端より下がった位置に軸芯１５が設けられている。ハンガー部８の上端に穴１４、上端より下がった位置に軸芯１６が設けられている。ハンガー部７の上端の軸芯１３をハンガー部８の上端の穴１４へ嵌合し、ハンガー部７の軸芯１５をハンガー保持部３の先端の穴１１へ嵌合し、ハンガー部８の軸芯１６をハンガー保持部６の先端の穴１２に嵌合する。ハンガー部７、８の下部のフック２０はスカート等を掛けるためのものである。
【００１７】
固定軸１８の根元は二つに割れていて内側に軸芯１９が設けられている。軸芯１９はハンガー部８の上端の穴１８へ外側から挟むように嵌合する。固定軸１８の上端はグリップ１とグリップ４を回転自在に接合している軸芯９と穴１０の中を通り抜け、グリップ１とグリップ４を開いたとき上方に上がり、グリップ１とグリップ４を閉じたとき下方に下がり、固定軸ストッパー２３、２４により固定軸１８の上方への移動を阻止するので、ハンガー部７、８の衣服の重量による撓みを固定することができる。
【００１８】
図２は請求項１に記載の衣服用開閉式ハンガーのロック作動部５先端をロック受け１７から外してハンガー部７、８の下端を閉じた状態を示している。
【００１９】
図３は請求項１に記載の衣服用開閉式ハンガーのロック作動部５先端をロック受け１７から外した状態であるが、ハンガー部７、８の下端をやや開いた状態を示している。
【００２０】
図４は請求項１に記載の衣服用開閉式ハンガーのロック作動部５先端をロック受け１７に掛けてハンガー部７、８を開いた状態を示している。
【００２１】
図２、図３、図４で示されるように，本発明の衣服用開閉式ハンガーの開閉はグリップ４の上端に装着したロック作動部５の先端をグリップ１に設置したロック受け１７へ掛けたり、外したりすることで行われる。ロック作動部５はバネ機構になっているため、ロック後はロック作動部５の後部を押さえない限りロック受け１７からロック作動部５の先端が外れることはないので、ハンガー部７、８を開いた状態に保つことができる。
【００２２】
図５、図６は請求項に記載の衣服用開閉式ハンガーにおいて、固定軸１８の先端の位置を示す説明図である。図５はハンガー部７、８を閉じた状態であり、固定軸１８の先端はグリップ１、４の間で上方の位置にあり、図６はハンガー部７、８を開いた状態であり、固定軸１８の先端はグリップ１、４の間で下方の位置になる。ハンガー部７、８を開くと、グリップ１、４は閉じ、グリップ１、４に設置された固定軸ストッパー２３、２４が合わさり固定軸１８の先端の上方への移動を阻止するのでハンガー部７、８は安定し、重量のある衣服をハンガーに掛けても衣服が落ちることがない。
【００２３】
【発明の効果】
本発明は以上説明したように構成されているので、以下に記載されるような効果を奏する。
【００２４】
襟ぐりからハンガーの先端を畳んだ状態で挿入し、ハンガーのグリップの上部でハンガーを開閉できるため、丸首シャツ、トレーナー、ブラウス等の襟ぐりを伸ばしたり、傷めることがなくなる。また、洗濯物の着脱作業が容易になる。
【００２５】
ハンガー部が安定するので、重量物の衣服を掛けることもできる。
【００２６】
携帯や保管が容易になるので、旅行や自動車内での使用にも適している。
【図面の簡単な説明】
【図１】部品構成を表す斜視図。
【図２】請求項１に記載の衣服用開閉式ハンガーを閉じた状態の平面図。
【図３】請求項１に記載の衣服用開閉式ハンガーを半開きにした状態の平面図。
【図４】請求項１に記載の衣服用開閉式ハンガーを開いた状態の平面図。
【図５】請求項２に記載の衣服用開閉式ハンガーを閉じた状態の説明図。
【図６】請求項２に記載の衣服用開閉式ハンガーを開いた状態の説明図。
【符号の説明】
１、４    グリップ
２、２０        フック
３、６    ハンガー保持部
５        ロック作動部
７、８    ハンガー部
９、１３、１５、１６、１９、２１    軸芯
１０、１１、１２、１４、２２    穴
１７        ロック受け
１８        固定軸
２３、２４  固定軸ストッパー
２５        ロック作動部ストッパー
【図１】
2004230112.tif 000003
【図２】
2004230112.tif 000004
【図３】
2004230112.tif 000005
【図４】
2004230112.tif 000006
【図５】
2004230112.tif 000007
【図６】
2004230112.tif 000008